(57)【要約】      （修正有）【課題】肌を傷つけることなく、心地よい使用感を得ることができ、使い勝手もよいボディタオルを提供する。【解決手段】ボディタオル１００のタオル本体１１０は、シルク（絹）の布地１１２を使用しており、全体が帯状となっている。タオル本体１１０の長手方向の両端には、取っ手１５０が設けられている。取っ手１５０は、タオル本体１１０の両端の幅全体ではなく、中央に取り付けられている。使用するときは、取っ手１５０の輪に手を掛けるとともに、タオル本体１１０を当てるようにして背中を洗う。このとき、タオル本体１１０の取っ手１５０が設けられた両端に芯１１４が入っているので、シルク生地１１２に襞が寄って縮まることがなく、生地全体が肌に当たって洗うことができる。【選択図】図１
0003230882.tif 000002
【実用新案登録請求の範囲】
【請求項１】
帯状の生地を使用したボディタオルであって、
前記生地の長手方向の端部の中央に取っ手を設けたことを特徴とするボディタオル。
【請求項２】
前記端部に芯材を挿入したことを特徴とする請求項１記載のボディタオル。
【請求項３】
帯状の生地を使用したボディタオルであって、
前記生地の長手方向の端部に当て布を設けたことを特徴とするボディタオル。
【請求項４】
前記生地の長手方向の端部に当て布を設けたことを特徴とする請求項１記載のボディタオル。
【請求項５】
前記当て布を、前記ボディタオルの生地に対して玉止めしたことを特徴とする請求項３又は４記載のボディタオル。
【請求項６】
帯状の生地を使用したボディタオルであって、
前記生地を、一重もしくは二重のシルク生地としたことを特徴とするボディタオル。
【考案の詳細な説明】
【技術分野】
【０００１】
本考案は、ボディタオルに関し、特にシルクを利用したボディタオルの改良に関する。
【背景技術】
【０００２】
従来のボディタオルとしては、例えば、下記特許文献１記載の「ゴム付ボディタオル」がある。これは、障害があっても、健常者と同様に肩や背中等を洗うことを目的としており、タオル下地両端部分に紐が通るように縫って紐をそれぞれ取付け、中間下地部分に縦方向伸縮可能にできるようにゴムを組み入れる構成となっている。紐の一方を手や足にかけるか、あるいは風呂椅子の下に挟み、他方の紐を持って洗いたい部位にボディタオルを合わせるようにする。
【０００３】
下記特許文献２には、普通のタオルに取っ手を設けて、使い易く、しかも、安心して使用できる「取っ手付浴用普通タオル」が開示されており、普通タオルの幅を細く、コンパクトにし、軽量化した当該タオルの両縁を縢り、両端は折り返して縫い止め、前記両端にそれぞれ取っ手を設けた構成となっている。
【先行技術文献】
【特許文献】
【０００４】
【特許文献１】特開2016-36707号公報
【特許文献２】特開2000-342482号公報
【考案の概要】
【考案が解決しようとする課題】
【０００５】
ところで、ボディタオルは、使用者の肌に直接触れるものであることから、肌を傷つけるものであってはならないのは当然として、心地よい使用感が得られるものが好ましい。上述した特許文献１記載の背景技術のようにゴムを組み入れる際は、そのような点に注意する必要がある。また、上記背景技術で紐や取っ手を引っ張ると、ボディタオルに襞が寄って縮まるようになり、上手く洗えないといった不都合もある。
【０００６】
本考案は、以上の点に着目したもので、肌を傷つけることなく、心地よい使用感を得ることができ、使い勝手もよいボディタオルを提供することを、その目的とする。
【課題を解決するための手段】
【０００７】
本考案は、帯状の生地を使用したボディタオルであって、前記生地の長手方向の端部の中央に取っ手を設けたことを特徴とする。主要な形態の一つによれば、前記端部に芯材を挿入したことを特徴とする。他の発明としては、前記生地の長手方向の端部に当て布を設けたことを特徴とする。主要な形態の一つによれば、前記取っ手に加えて、前記生地の長手方向の端部に当て布を設けたことを特徴とする。更には、前記当て布を、前記ボディタオルの生地に対して玉止めしたことを特徴とする。他の発明は、帯状の生地を使用したボディタオルであって、前記生地を、一重もしくは二重のシルク生地としたことを特徴とする。本考案の前記及び他の目的，特徴，利点は、以下の詳細な説明及び添付図面から明瞭になろう。
【考案の効果】
【０００８】
本考案によれば、帯状の生地の両端の中央に取っ手を設けることとしたので、肌を傷つけることなく、心地よい使用感を得ることができ、使い勝手もよい。
【図面の簡単な説明】
【０００９】
【図１】本考案の実施例１を示す図である。(A)は平面を示し、(B)は(A)の＃１−＃１線に沿って矢印方向に見た断面の構造を示し、(C)は使用状態を示す。
【図２】本考案の実施例２を示す図である。(A)は平面を示し、(B)は(A)の＃２−＃２線に沿って矢印方向に見た断面の構造を示す。
【考案を実施するための形態】
【００１０】
以下、本考案を実施するための最良の形態を、実施例に基づいて詳細に説明する。
【実施例１】
【００１１】
最初に、図１を参照しながら、本考案の実施例１について説明する。図１(A)には、本実施例のボディタオル１００の全体が示されており、同図の＃１−＃１線に沿って矢印方向に見た断面の構成が図１(B)に示されている。これらの図において、ボディタオル１００のタオル本体１１０は、シルク（絹）の布地を使用しており、全体が帯状となっている。そして、その長手方向（図の左右方向）の両端には、取っ手１５０が設けられている。
【００１２】
タオル本体１１０の縫製と取っ手１５０の取付けは、例えば、次のような手順で行う。
ａ，適宜の長さ及び幅のシルク生地１１２を用意する。好ましくは、着物の裏に使用されるような滑らかなシルク生地を使用する。
【００１３】
ｂ，用意した帯状のシルク生地１１２の長手方向の両端に芯１１４を入れて折り畳み、折り畳んだ部位を幅方向（図の上下方向）に縫い合わせる。芯１１４を入れることで、強度の向上を図っている。
【００１４】
ｃ，芯１１４としては、綿もしくは綿にポリエステルを混合した生地を用いる。化繊を混ぜると、綿のみの場合と比較して、乾きが早くなる，強度が増すといった利点がある。
【００１５】
ｄ，次に、シルク生地１１２を、表面を内側として幅が半分となるように長手に２つ折りするとともに、合わせた長手方向の端を縫って円筒状とし、これを表裏反転させて、生地の表面が外側となるようにする。
【００１６】
ｅ，一方、取っ手１５０を別途用意する。素材としては、例えば、濡れても丈夫で水はけがよい（乾きやすい）ポリエステルなどを使用する。
【００１７】
ｆ，帯状の布地を、表面を内側として幅が半分となるように長手に２つ折りするとともに、ほつれ防止のために端部を長手方向に縫う。また、一端を更に幅方向に縫って裏返すことで、袋状とする。
【００１８】
ｇ，全体を二つ折りとして輪を作り、端を合わせた部位にギャザー１５２を形成する。このとき、前記袋の開口側を内側に折り曲げるようにして縫製する。
【００１９】
ｈ，次に、取っ手１５０のギャザー１５２を形成した端部を、前記シルク生地１１２の端部開口１１６に挟み込み、図１(B)に示すＬ１０，Ｌ１２の位置で全体を縫い合わせ（ランニングステッチ）、タオル本体１１０に取っ手１５０を取り付ける。
【００２０】
以上のようにして、図１(A)に示すボディタオル１００が得られる。同図に示すように、取っ手１５０は、タオル本体１１０の両端の幅全体ではなく、中央に取り付けられている。図１(C)には、本実施例のボディタオル１００の使用状態の一例が示されており、取っ手１５０の輪に手を掛けるとともに、タオル本体１１０を当てるようにして背中を洗う。このとき、タオル本体１１０の取っ手１５０が設けられた両端に芯１１４が入っているので、シルク生地１１２に襞が寄って縮まることがなく、生地全体が肌に当たって洗うことができる。
【実施例２】
【００２１】
次に、図２を参照しながら、本考案の実施例２について説明する。図２(A)には、本実施例のボディタオル２００の全体が示されており、同図の＃２−＃２線に沿って矢印方向に見た断面の構成が図２(B)に示されている。本実施例のボディタオル２００は、シルク生地を使用したタオル本体２１０の長手方向の両端に取っ手２５０が設けられており、これらの取っ手２５０付近に当て布２８０を設けたものである。
【００２２】
本実施例におけるタオル本体２１０の縫製と、取っ手２５０及び当て布２８０の取付けは、例えば、次のような手順で行う。
【００２３】
ａ，適宜の長さ及び幅のシルク生地２１２を用意する点は、上述した実施例１と同様である。
【００２４】
ｂ，用意した帯状のシルク生地２１２の表面であって両端に、当て布２８０を重ねるとともに、図２(B)のＬ２０の位置で当て布２８０の端を折返してシルク生地２１２に縫い付ける（ランニングステッチ）。なお、取っ手２５０を設ける側は、必ずしも折り返して縫い付けなくてもよい。また、この時点で、後述する玉止めを行うようにしてもよい。当て布２８０としては、例えば、乾きやすいポリエステルなどを使用する。当て布２８０を使用することで、タオル両端の強度を高めるとともに、デザイン性が向上する。
【００２５】
ｃ，次に、当て布２８０を重ね合わせたシルク生地２１２を、表面を内側として幅が半分となるように長手に２つ折りするとともに、合わせた長手方向の端を縫って円筒状とし、これを表裏反転させて、生地の表面が外側となるようにする。上述したように、当て布２８０は生地の表面側に設けられているので、表裏反転により、当て布２８０が外側に露出する。
【００２６】
ｄ，次に、当て布２８０の全幅に対して、図２(B)にＬ２２で示すほぼ均等な間隔の位置で、玉止め２８２を施す。図示の例では、玉止め２８２は、図２(A)に示すように、９カ所となっている。これらの玉止め２８２は、使用による生地の縮みの程度が、シルク生地２１２と当て布２８０との間で異なることに着目したもので、縮みが生じても、玉止め２８２により生地の弛みが生じないようになる。なお、玉止め２８２は、一か所でもよく、必要に応じて増減してよい。
【００２７】
ｅ，一方、取っ手２５０を別途用意する。取っ手２５０としては、上述した実施例１の取っ手１５０と同じでもよいが、本実施例では、細長の袋状生地を、Ｗ字に折り畳む。そして、中央の折り目と、両端を斜めに重ねて縫い合わせることで、２つの輪を作る。このとき、袋状生地の縫い目側が、輪の内側となるようにする。
【００２８】
ｆ，次に、図２(B)に示すように、シルク生地２１２の端部開口２１６に、取っ手２５０の端部を挟み込むとともに、シルク生地２１２及び当て布２８０の端を開口内側に折り込む。そして、図２(B)に示すＬ２４，Ｌ２６の位置で全体を縫い合わせ（ランニングステッチ）、タオル本体２１０に取っ手２５０を取り付ける。
【００２９】
以上のようにして、図２(A)に示すボディタオル２００が得られる。同図に示すように、本実施例においては、取っ手２５０がタオル本体２１０の中央に取り付けられているのみならず、当て布２８０が設けられていることから、シルク生地２１２に襞が寄って縮まることがなく、生地全体が肌に当たって洗うことができる。また、当て布２８０により、多様なデザインも可能となる。また、当て布２８０を取り付けることで強度も増すため、芯は必ずしも必要ないが、追加してもよい。
【００３０】
＜他の実施例＞  本考案には数多くの実施例があり、以上の開示に基づいて多様に改変することが可能である。例えば、次のようなものも含まれる。
ａ，前記実施例で示した縫製の手法や手順は一例であり、公知の各種の手法や手順としてよい。
ｂ，タオル本体の生地としては一重もしくは二重のシルクが好適であるが、他の素材を用いることを妨げるものではない。取っ手の生地についても、各種の素材を用いてよい。
ｃ，前記実施例では、タオル本体として、長辺と短辺を有する帯状の生地を使用したが、形状も適宜変更してよい。取っ手の形状についても同様である。
ｄ，前記実施例では、タオル本体の長手方向の端部に取っ手を取り付けるとともに、当て布を更に設けたが、当て布のみを設けることを妨げるものではない。
【産業上の利用可能性】
【００３１】
本考案によれば、帯状の生地の両端の中央に取っ手を設けることとしたので、肌を傷つけることなく、心地よい使用感を得ることができ、使い勝手もよいので、ボディタオル・浴用タオルとして好適である。
【符号の説明】
【００３２】
１００：ボディタオル
１１０：タオル本体
１１２：シルク生地
１１４：芯
１１６：端部開口
１５０：取っ手
１５２：ギャザー
２００：ボディタオル
２１０：タオル本体
２１２：シルク生地
２１６：端部開口
２５０：取っ手
２８０：当て布
２８２：玉止め
【図１】
0003230882.tif 000003
【図２】
0003230882.tif 000004
【手続補正書】
【提出日】令和2年12月15日(2020.12.15)
【手続補正１】
【補正対象書類名】実用新案登録請求の範囲
【補正対象項目名】全文
【補正方法】変更
【補正の内容】
【実用新案登録請求の範囲】
【請求項１】
帯状の生地を使用したボディタオルであって、
前記生地の長手方向の端部の中央に取っ手を設けたことを特徴とするボディタオル。
【請求項２】
前記端部に芯材を挿入したことを特徴とする請求項１記載のボディタオル。
【請求項３】
前記生地の長手方向の端部に当て布を設けたことを特徴とする請求項１又は２記載のボディタオル。
【請求項４】
前記当て布を、前記ボディタオルの生地に対して玉止めしたことを特徴とする請求項３記載のボディタオル。
【請求項５】
前記生地を、一重もしくは二重のシルク生地としたことを特徴とする請求項１〜４のいずれか一項に記載のボディタオル。
【手続補正２】
【補正対象書類名】明細書
【補正対象項目名】０００７
【補正方法】変更
【補正の内容】
【０００７】
本考案は、帯状の生地を使用したボディタオルであって、前記生地の長手方向の端部の中央に取っ手を設けたことを特徴とする。主要な形態の一つによれば、前記端部に芯材を挿入したことを特徴とする。他の形態によれば、前記生地の長手方向の端部に当て布を設けたことを特徴とする。更に他の形態によれば、前記当て布を、前記ボディタオルの生地に対して玉止めしたことを特徴とする。更には、前記生地を、一重もしくは二重のシルク生地としたことを特徴とする。本考案の前記及び他の目的，特徴，利点は、以下の詳細な説明及び添付図面から明瞭になろう。